(57)【要約】【課題】専用のセンサーを設けることなく、手間なく正確かつ迅速に、利用者に合わせてエアマットの状態を適切に制御するためのエアマット制御装置を提供する。【解決手段】エアマット制御装置２００は、利用者を保持するエアマット１００の状態を制御する。取得部２６０は、利用者に合わせてエアマット１００の状態を制御するための利用者情報を外部媒体３００から取得する。制御部２１０は、取得部２６０によって取得された利用者情報を用いてエアマット１００の状態を制御する。【選択図】図１
2019025250.tif 000002
【特許請求の範囲】
【請求項１】
利用者を保持するエアマットの状態を制御するエアマット制御装置であって、
前記利用者に合わせて前記エアマットの状態を制御するための利用者情報を外部媒体から取得する取得部と、
前記取得部によって取得された前記利用者情報を用いて前記エアマットの状態を制御する制御部と、
を有するエアマット制御装置。
【請求項２】
前記利用者情報は、前記利用者の身体情報、生体情報、識別情報および前記エアマットの設定情報のうちの少なくとも一つを含む請求項１に記載のエアマット制御装置。
【請求項３】
前記利用者の身体情報、生体情報および前記エアマットの設定情報のうちの少なくとも一つを前記識別情報と関連付けて記憶した記憶部を参照して、前記識別情報を用いて、当該識別情報に関連付けられた前記身体情報、前記生体情報および前記設定情報のうちの少なくとも一つを前記記憶部から取得する参照部をさらに有し、
前記制御部は、前記取得部によって前記識別情報が取得された場合、前記参照部に当該識別情報に関連付けられた前記身体情報、前記生体情報および前記設定情報のうちの少なくとも一つを取得させ、前記参照部によって取得された情報に基づいて前記エアマットの状態を制御する請求項２に記載のエアマット制御装置。
【請求項４】
前記取得部によって前記識別情報が取得された場合であって、前記参照部によって情報が取得できない、または、前記参照部によって取得された情報が適切でないと判断された場合に、前記身体情報、前記生体情報および前記設定情報のうちの少なくとも一つの情報の入力を受け付ける受付部をさらに有し、
前記制御部は、前記受付部によって受け付けられた情報を前記識別情報と関連付けて記憶する請求項３に記載のエアマット制御装置。
【請求項５】
前記取得部によって前記識別情報が取得された場合、前記識別情報により特定された前記利用者が実際の利用者と一致しているか否かを認証する認証部をさらに有する請求項３または請求項４に記載のエアマット制御装置。
【請求項６】
前記利用者情報は、複数の前記利用者を分類するために複数の前記利用者に共通して関連付け可能なグループＩＤを含み、
前記記憶部は、前記身体情報、前記生体情報および前記設定情報のうちの少なくとも一つを、前記グループＩＤと関連付けて記憶し、
前記取得部は、前記利用者情報として前記グループＩＤを取得し、
前記制御部は、前記グループＩＤを用いて、前記参照部に当該グループＩＤに関連付けられた前記身体情報、前記生体情報および前記設定情報のうちの少なくとも一つを取得させ、取得された情報に基づいて前記エアマットの状態を制御する請求項３〜５のいずれか一項に記載のエアマット制御装置。
【請求項７】
前記取得部は、ＲＦＩＤタグリーダー、バーコードリーダーおよびカメラのうちの少なくとも一つを有し、前記利用者に関連付けられたＲＦＩＤタグ、バーコードおよび２次元バーコードのうちの少なくとも一つから情報を読み取ることによって前記利用者情報を取得する請求項１〜６のいずれか一項に記載のエアマット制御装置。
【請求項８】
前記取得部は、外部の記録媒体と通信するための通信インターフェースを有し、前記記録媒体と通信することによって前記利用者情報を取得する請求項１〜７のいずれか一項に記載のエアマット制御装置。
【請求項９】
前記制御部は、前記エアマットのエアセルの内圧、前記エアセルの膨張および収縮の周期、前記利用者の背上げ状態に応じた前記エアセルの内圧の変動度合いおよび前記エアマットが設置されるベッドの種類に対応した前記エアマットの機能のうちの少なくとも一つに関する設定を変更することによって前記エアマットの状態を制御する請求項１〜８のいずれか一項に記載のエアマット制御装置。
【請求項１０】
利用者を保持するエアマットの状態を制御するためのエアマット制御方法であって、
前記利用者に合わせて前記エアマットの状態を制御するための利用者情報を外部媒体から取得する取得ステップと、
前記取得ステップにおいて取得された前記利用者情報を用いて前記エアマットの状態を制御する制御ステップと、
を有するエアマット制御方法。
【発明の詳細な説明】
【技術分野】
【０００１】
本発明は、エアマット制御装置およびエアマット制御方法に関する。
【背景技術】
【０００２】
病院ベッドや介護ベッドの上に患者や要介護者が長期に渡って横たわる際、ベッドの上にエアマットを載置して患者や要介護者が受ける圧力を分散し、床ずれ（褥瘡）等の発生を防止する技術が知られている。
【０００３】
近年では、病院スタッフや介護スタッフ等がエアマットの制御装置に利用者の身長・体重情報を入力し、制御装置が身長・体重情報に応じてエアマットの空気圧を調整する技術も知られている（たとえば、特許文献１参照）。また、エアマットに圧力センサー等の専用の構成を設けて利用者の体重等の身体情報を把握する技術も知られている（たとえば、特許文献２参照）。
【先行技術文献】
【特許文献】
【０００４】
【特許文献１】特開２００３−２９０２９７号公報
【特許文献２】特開２００４−２７１３６８号公報
【発明の概要】
【発明が解決しようとする課題】
【０００５】
しかしながら、特許文献１記載の技術においては、身長・体重情報を現場のスタッフが手作業によって制御装置に直接入力する必要があり、慌ただしい医療や介護の現場において設定に手間がかかってしまう虞がある。さらに、現場での手作業による入力が必要になるため、入力間違いや患者の取り違い等のミスが発生する虞もある。また、特許文献２記載の技術においては、必要な情報ごとに専用のセンサーを搭載する必要があり、装置のサイズやコスト、拡張性等の点で問題がある。
【０００６】
本発明は、上記事情に鑑みてなされたものであり、専用のセンサーを設けることなく、手間なく正確かつ迅速に、利用者に合わせてエアマットの状態を適切に制御するためのエアマット制御装置およびエアマット制御方法を提供することを目的とする。
【課題を解決するための手段】
【０００７】
エアマット制御装置は、利用者を保持するエアマットの状態を制御する。取得部は、利用者に合わせてエアマットの状態を制御するための利用者情報を外部媒体から取得する。制御部は、取得部によって取得された利用者情報を用いてエアマットの状態を制御する。
【０００８】
エアマット制御方法は、利用者を保持するエアマットの状態を制御する。取得ステップは、利用者に合わせてエアマットの状態を制御するための利用者情報を外部媒体から取得する。制御ステップは、取得ステップにおいて取得された利用者情報を用いてエアマットの状態を制御する。
【発明の効果】
【０００９】
本発明のエアマット制御装置によれば、取得部によって外部媒体から取得された利用者情報を用いてエアマットの状態を制御する。これにより、手間なく正確かつ迅速に、利用者に合わせてエアマットの状態を適切に制御できる。
【図面の簡単な説明】
【００１０】
【図１】第１実施形態に係るエアマット制御装置が適用されるエアマットシステムの概略構成図である。
【図２】エアマット制御装置の概略構成図である。
【図３】エアマット制御装置のストレージに記憶される情報の一例を示す図である。
【図４】第１実施形態に係るエアマット制御装置によって実行される設定処理の手順を示すフローチャートである。
【図５】第２実施形態に係るエアマット制御装置によって実行される設定処理の手順を示すフローチャートである。
【図６】第３実施形態に係るエアマット制御装置が適用されるエアマットシステムの概略構成図である。
【図７】第４実施形態に係るエアマット制御装置が適用されるエアマットシステムの概略構成図である。
【図８】第５実施形態に係るエアマット制御装置のストレージに記憶される情報の一例を示す図である。
【発明を実施するための形態】
【００１１】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１２】
＜第１実施形態＞
図１は、第１実施形態に係るエアマット制御装置が適用されるエアマットシステムの概略構成図である。
【００１３】
図１に示されるエアマットシステムは、たとえば、病院や介護施設等において用いられる。
【００１４】
図１に示すように、エアマットシステムは、エアマット１００、エアマット制御装置２００および外部媒体３００から構成される。エアマット１００およびエアマット制御装置２００は、接続チューブＴ１を介して相互に接続されている。接続チューブＴ１は、それぞれ独立して空気を移送可能な複数の送風チューブと、電気信号を伝達可能な配線とを有する。エアマット制御装置２００は、接続チューブＴ１を介してエアマット１００に空気を供給すると共に、エアマット１００に設けられたセンサー等との間で電気信号を送受信する。外部媒体３００は、利用者に付された名札やタグ等のエアマット制御装置２００の外部の媒体である。エアマット制御装置２００は、利用者が有する外部媒体３００から利用者情報を取得し、取得した利用者情報に基づいて利用者に合わせてエアマット１００の状態を制御する。以下、各構成について詳細に説明する。
【００１５】
＜エアマット１００＞
エアマット１００は、たとえば、ベッドマットレス１１０上に載置され、ベッドマットレス１１０の短手方向に伸びる袋状のエアセル１２０を、ベッドマットレス１１０の長手方向に複数並べて構成される。エアマット１００は、それぞれ独立した複数の空気供給系統を有する。各空気供給系統には、それぞれ異なる送風チューブが接続され、各空気供給系統にそれぞれ独立して空気が供給される。各エアセル１２０は、複数の空気供給系統のいずれかに接続され、空気供給系統ごとに内圧が制御される。各エアセル１２０は、複数のグループに分けられ、グループごとに各エアセル１２０同士が連通されていてもよい。
【００１６】
たとえば、図１に示す例では、エアマット１００は、３つの空気供給系統を有している。各エアセル１２０は、並べられた順に、順次３つのグループに分けられ、各グループ内のエアセル１２０同士が連通される。各グループは３つの空気供給系統にそれぞれ接続される。そして、３つの空気供給系統の内圧設定を周期的に変更することによって、各空気供給系統に接続されたエアセル１２０を周期的に膨張および収縮させて、エアマット１００を波動させることができる。これにより、利用者に接触するエアセル１２０を周期的に変更することができ、同じエアセル１２０が長時間連続して利用者に接触することよるムレや圧迫を防止して褥瘡の発生を抑止できる。なお、エアセル１２０の種類、形状、個数、並び方等は、図１に示す例に限定されず、いかなる態様でエアセル１２０が使用されてもよい。また、空気供給系統の数やエアセル１２０の接続方法等も、上記の例に限定されない。たとえば、エアマット１００の側部にエアセルを設けて周期的に膨張および収縮させることにより、利用者の寝返りによる姿勢変更を促すようにしてもよい。
【００１７】
さらに、エアマット１００は、各エアセル１２０の内圧を検出する内圧センサーや、背上げした際のエアマット１００の傾きを検出する角度センサー等の各種センサーを備えていてもよい。また、エアマット１００は、温度調整手段、送風手段、表示手段や発音手段等、利用者の状態や使用環境等に応じて制御可能な各種の構成を備えることができる。
【００１８】
＜エアマット制御装置２００＞
エアマット制御装置２００は、外部媒体３００から利用者情報を取得し、取得した利用者情報を用いて、エアマット１００の状態を制御する。エアマット制御装置２００は、複数の空気供給系統に分けてエアマット１００に空気を供給可能であり、各空気供給系統に接続されたエアセル１２０の内圧を制御可能である。また、エアマット制御装置２００は、エアマット１００に設けられた各種センサーから送信される信号を受信してエアマット１００や利用者の状態を判断し、判断結果に応じてエアマット１００の状態を制御する。たとえば、エアマット制御装置２００は、エアマット１００の角度センサーからの情報に基づいて利用者の背上げ状態を判断し、背上げしていると判断された場合、利用者の腰の部分の底づきを防止するため、エアセル１２０の内圧を高めることができる。以下、エアマット制御装置２００について詳細に説明する。
【００１９】
図２は、エアマット制御装置の概略構成図である。
【００２０】
図２に示すように、エアマット制御装置２００は、ＣＰＵ２１０、ＲＯＭ２２０、ＲＡＭ２３０、ストレージ２４０、表示操作部２５０、取得部２６０、空気供給部２７０および通信部２８０を備え、これらは信号をやり取りするためのバス２９０を介して相互に接続されている。
【００２１】
ＣＰＵ２１０は、ＲＯＭ２２０やストレージ２４０に記録されているプログラムにしたがって、上記各部の制御や各種の演算処理を行う。ＣＰＵ２１０は、プログラムを実行することによって、制御部、参照部、受付部、認証部として機能する。
【００２２】
ＲＯＭ２２０は、各種プログラムや各種データを格納する。
【００２３】
ＲＡＭ２３０は、作業領域として一時的にプログラムやデータを記憶する。
【００２４】
ストレージ２４０は、オペレーティングシステムを含む各種プログラムや、各種データを格納する。また、ストレージ２４０には、利用者の識別情報、身体情報、生体情報、エアマットの設定情報等が相互に関連付けられて記憶されている。
【００２５】
表示操作部２５０は、たとえば、タッチパネル方式の液晶ディスプレイや、各種操作ボタン等であり、各種情報を表示したり、各種入力を行ったりするために使用される。
【００２６】
取得部２６０は、たとえばＲＦＩＤタグリーダー、バーコードリーダー、２次元バーコードを読み取り可能なカメラ等の入力装置を有し、利用者のタグ等の外部媒体３００に設けられたＲＦＩＤタグ、バーコード、２次元バーコード等を認識して利用者情報を取得する。また、取得部２６０は、通信部２８０に設けられた各種通信インターフェースを介して、利用者が保持する携帯メモリー、スマートフォンまたは利用者に装着されたウェアラブルデバイス等の外部の記録媒体と通信して利用者情報を取得してもよい。あるいは、取得部２６０は、利用者のタグに印字された氏名をカメラで撮影し、撮影した画像に文字認識等の画像処理を施すことによって、患者の氏名を利用者情報として取得してもよい。また、取得部２６０は、利用者の顔をカメラで撮影し、撮影した顔画像を解析して予め登録されたデータベースとマッチングすることによって利用者を特定し、特定した利用者に関する情報を利用者情報として取得してもよい。また、取得部２６０は、マイク等を介して利用者の声を取得してもよく、あるいは、各種生体情報取得デバイスを介して利用者の指紋や静脈、虹彩などの生体情報を取得してもよい。取得部２６０は、取得した各種生体情報を予め登録されたデータベースとマッチングすることによって利用者を特定し、特定した利用者に関する情報を利用者情報として取得できる。
【００２７】
空気供給部２７０は、空気を供給するポンプと各空気供給系統に分配する分配器と供給量を調整するバルブとを有する。空気供給部２７０は、ＲＡＭ２３０またはストレージ２４０に記憶された各種設定や、エアマット１００の内圧センサーからの内圧情報、ＣＰＵ２１０からの指示等に基づいて、エアマット１００の各エアセル１２０が所定の内圧になるように空気を供給する。
【００２８】
通信部２８０は、エアマット１００や利用者のスマートフォン、ウェアラブルデバイス、ネットワーク上のサーバー等の外部機器と通信するための有線または無線の通信インターフェースである。通信インターフェースとしては、たとえば、ＵＳＢ、ＲＳ２３２Ｃ、イーサネット（登録商標）、Ｗｉ−ＦｉまたはＢｌｕｅｔｏｏｔｈ（登録商標）等の各種規格が用いられる。
【００２９】
＜外部媒体３００＞
外部媒体３００は、たとえばＲＦＩＤタグ、バーコード、２次元バーコード等が設けられた利用者のタグや、利用者が有する携帯メモリー、スマートフォン、ウェアラブルデバイス等である。外部媒体３００には、利用者を識別するための識別情報が記録されている。また、外部媒体３００には、利用者の身長、体重等の身体情報、利用者の状態や持病等を示す生体情報、利用者に合わせて最適化されたエアマット１００の設定情報等の情報が記録されていてもよい。
【００３０】
なお、エアマットシステムの各構成は、それぞれ上記の構成要素以外の構成要素を含んでいてもよく、あるいは、上記の構成要素のうちの一部が含まれていなくてもよい。
【００３１】
＜ストレージ２４０に記憶される情報＞
図３は、エアマット制御装置のストレージに記憶される情報の一例を示す図である。
【００３２】
図３に示すように、エアマット制御装置２００のストレージ２４０には、たとえば、利用者の識別情報、名称、身長、体重、状態、内圧設定、膨縮周期設定等の情報が相互に関連付けられて記憶されている。
【００３３】
識別情報は、利用者を識別するための情報であり、たとえば英数字や記号等によって表現されるシステム内でユニークな情報である。識別情報としては、たとえば病院の患者管理システムにおいて患者ごとに付与される患者ＩＤ等を用いることができる。
【００３４】
名称は、利用者の氏名等であり、上記の識別情報と同様に利用者を識別するための情報として使用される。また、たとえば名称をエアマット制御装置２００の表示操作部２５０に表示して利用者に確認させることによって、患者タグの取り付けミスや情報の登録ミス等を検知するために使用してもよい。なお、名称のほかに、利用者の年齢や生年月日、利用者の顔や声に関する情報等が記録されてもよく、エアマット制御装置２００は、それぞれの情報を用いて利用者を識別したり、認証したりすることができる。
【００３５】
身長および体重は、利用者の身体情報であり、利用者に合わせてエアマット１００の状態を最適に制御するために用いられる。たとえばエアマット制御装置２００は、利用者の体重に応じて最適なエアマット１００の内圧を算出し、エアマット１００の内圧を制御してもよい。あるいは、エアマット制御装置２００は、利用者の体重と身長に基づいて利用者の体型を判断し、体型に応じてエアマット１００の内圧や内圧の変動を制御してもよい。なお、身体情報として、たとえばＢＭＩ値（Ｂｏｄｙ  Ｍａｓｓ  Ｉｎｄｅｘ）、体脂肪率、骨量、筋肉量等に関する情報が記憶されてもよく、エアマット制御装置２００は、それぞれの情報に基づいてエアマット１００の状態を適切に制御できる。
【００３６】
状態は、利用者の症状や持病等に関する情報を示す生体情報であり、利用者に合わせてエアマット１００の状態を最適に制御するために用いられる。たとえば、図３の例では、「Ｂさん」と「Ｄさん」に拘縮の症状があることが示されている。拘縮が生じた場合、利用者の身体が屈曲してエアマット１００に接する面積が小さくなることによって、圧力が高くなる。これにより、エアマット１００が過度に沈み込み、底づきをおこして褥瘡等が生じやすくなってしまう。これを防止するため、拘縮の症状がある場合、エアマット１００の内圧を通常よりも高く設定することによって、利用者の姿勢を安定させて圧力集中を防ぐことができる。また、「Ｅさん」は「安静」が必要な状態であることが示されている。安静が必要な状態である場合、膨縮の周期を長く設定したり、内圧の変動度合いを小さく設定したりすることによって、利用者の移動量を少なくして安静を保つことができる。生体情報として、たとえば体温、血圧、心拍数等に関する情報が記憶されてもよく、それぞれエアマット１００の状態を最適に制御するために使用することができる。たとえば、エアマット制御装置２００は、利用者の体温に関する情報に基づいて、エアマット１００の温度調整手段や送風手段等を制御してエアマット１００の表面温度や利用者の体感温度を調整し、利用者が快適に過ごせるようにしてもよい。
【００３７】
内圧設定および膨縮周期設定は、エアマット１００の設定情報であり、利用者ごとの最適な設定値が予め記憶されている。内圧設定は、エアセル１２０の内圧の設定値である。図３の例では、内圧設定として１４〜２２ｍｍＨｇの値が登録されている。内圧設定の値を複数設けて、空気供給系統ごとに内圧を設定できるようにしてもよい。膨縮周期設定は、各空気供給系統に接続されたエアセル１２０を周期的に膨張および収縮させる際の時間的な周期を示す。図３の例では、膨縮周期設定として５分の値が登録されている。エアマット１００の設定情報として、利用者の背上げ状態に応じたエアセル１２０の内圧の変動度合いが記憶されてもよい。また、エアマット１００の設定情報として、背上げ状態に対応した背上げモードや、拘縮状態に対応した拘縮モードといった利用者の状態に応じて設定される各モードにおいて内圧を管理するための情報が登録されてもよい。さらに、エアマット１００の設定情報として、エアマット１００が設置されるベッドの種類に対応したエアマット１００の機能が設定されてもよい。たとえば、背上げ機能を有するベッドの場合、背上げ状態に応じたエアセル１２０の内圧制御を行うように設定してもよい。また、足上げ機能を有するベッドの場合、足上げ状態に応じたエアセル１２０の内圧制御を行うように設定してもよい。
【００３８】
なお、ストレージ２４０に記憶されるものとして説明した上記の情報は、外部媒体３００に記録されてもよい。エアマット制御装置２００は、外部媒体３００から取得した上記情報を使用してエアマット１００を制御してもよい。
【００３９】
＜エアマット制御装置２００によって実行される設定処理の概要＞
図４は、第１実施形態に係るエアマット制御装置によって実行される設定処理の手順を示すフローチャートである。なお、図４に示すエアマット制御装置２００の処理は、エアマット制御装置２００のストレージ２４０にプログラムとして記憶されており、ＣＰＵ２１０が各部を制御することにより実行される。図４に示す処理は、利用者がエアマット１００を利用する際等に実行される設定処理である。
【００４０】
まず、エアマット制御装置２００は、利用者情報を外部媒体３００から取得する（ステップＳ１０１）。具体的には、エアマット制御装置２００の取得部２６０において、利用者のタグ等の外部媒体３００から情報を読み取ったり受信したりすることによって、利用者情報を取得する。
【００４１】
続いて、エアマット制御装置２００は、取得部２６０において利用者情報が取得されたか否かを判断する（ステップＳ１０２）。
【００４２】
利用者情報が取得されていない場合（ステップＳ１０２：ＮＯ）、エアマット制御装置２００は、利用者情報が取得されるまでステップＳ１０１の処理を繰り返す。
【００４３】
利用者情報が取得されている場合（ステップＳ１０２：ＹＥＳ）、エアマット制御装置２００は、取得された利用者情報を用いて利用者に応じたエアマット１００の設定を算出する（ステップＳ１０３）。具体的には、エアマット制御装置２００は、利用者情報を用いてエアマット１００のエアセル１２０の内圧や、エアセル１２０の膨張および収縮の周期等のエアマット１００の設定を算出する。
【００４４】
たとえば、エアマット制御装置２００が、利用者情報として利用者の身体情報または生体情報を取得した場合、エアマット制御装置２００は、取得した身体情報または生体情報に基づいて利用者に応じたエアマット１００の適切な設定を算出する。あるいは、エアマット制御装置２００が、利用者情報としてエアマット１００の設定情報を取得した場合、エアマット制御装置２００は、取得した設定情報をエアマット１００の設定としてそのまま使用できる。また、エアマット制御装置２００が、利用者情報として利用者の識別情報を取得した場合、エアマット制御装置２００は、参照部として、ストレージ２４０を参照し、当該識別情報に関連付けられた利用者の身体情報、生体情報、エアマット１００の設定情報等を取得する。エアマット制御装置２００は、ストレージ２４０から取得した情報に基づいてエアマット１００の適切な設定を算出する。
【００４５】
続いて、エアマット制御装置２００は、ステップＳ１０３の処理において算出された設定に基づいてエアマット１００の状態を制御する（ステップＳ１０４）。具体的には、エアマット制御装置２００は、エアマット１００のエアセル１２０の内圧、エアセル１２０の膨張および収縮の周期等の設定に基づいて空気供給部２７０等を制御してエアマット１００の状態を制御する。
【００４６】
以上のように、第１実施形態のエアマット制御装置２００によれば、取得部２６０によって外部媒体３００から取得された利用者情報を用いてエアマット１００の状態を制御する。これにより、手間なく正確かつ迅速に、利用者に合わせてエアマット１００の状態を適切に制御できる。
【００４７】
また、利用者情報は、利用者の身体情報、生体情報、識別情報およびエアマット１００の設定情報のうちの少なくとも一つを含む。これにより、外部媒体３００に記録された様々な種類の情報に対応してエアマット１００の状態を制御できる。
【００４８】
また、エアマット制御装置２００は、取得部２６０によって識別情報が取得された場合、記憶部において当該識別情報に関連付けられた身体情報、生体情報および設定情報のうちの少なくとも一つを取得し、取得された情報に基づいてエアマット１００の状態を制御する。これにより、外部媒体３００に識別情報のみが記録されている場合であっても、当該識別情報に身体情報、生体情報、設定情報等の各種情報を関連付けて記憶部に記憶させておくことにより、各種情報に基づいて適切にエアマット１００を制御できる。
【００４９】
また、エアマット制御装置２００の取得部２６０は、ＲＦＩＤタグリーダー、バーコードリーダーおよびカメラのうちの少なくとも一つを有し、ＲＦＩＤタグ、バーコードおよび２次元バーコードのうちの少なくとも一つから利用者情報を取得する。したがって、エアマットシステムが適用される環境に応じて、取得部２６０として採用する構成を適宜選択することができ、適切な外部媒体３００から利用者情報を取得することができる。
【００５０】
また、エアマット制御装置２００の取得部２６０は、外部の記録媒体と通信するための通信インターフェースを有し、記録媒体と通信することによって利用者情報を取得する。これにより、利用者のスマートフォンやウェアラブルデバイス等の様々な装置から利用者情報を取得でき、システムを柔軟に拡張して利便性を高めることができる。
【００５１】
また、エアマット制御装置２００は、エアセル１２０の内圧や膨縮周期、利用者の背上げ状態に応じた内圧の変動度合い、設置されるベッドの種類に対応した機能等に関する設定を変更することによってエアマット１００の状態を制御する。これにより、利用者の特性や状態、利用環境等の詳細な条件を考慮して、利用者に合わせてより適切にエアマット１００の状態を制御できる。
【００５２】
＜第２実施形態＞
次に、第２実施形態のエアマットシステムについて説明する。
【００５３】
上記の第１実施形態では、エアマット制御装置２００が、外部媒体３００から取得した利用者情報をそのまま利用してエアマット１００を制御する例について説明した。しかし、エアマット制御装置２００は、取得した利用者情報や、利用者情報に基づいて取得または算出される情報が適切か否かを確認してもよい。以下、エアマット制御装置２００が取得した情報が適切か否かを確認する例について説明する。
【００５４】
第２実施形態のエアマットシステムの構成は第１実施形態と同様であるため、その説明を省略する。以下、第２実施形態のエアマットシステムにおける処理について説明する。
【００５５】
図５は、第２実施形態に係るエアマット制御装置によって実行される設定処理の手順を示すフローチャートである。なお、図５に示すエアマット制御装置２００の処理は、エアマット制御装置２００のストレージ２４０にプログラムとして記憶されており、ＣＰＵ２１０が各部を制御することにより実行される。
【００５６】
図５のステップＳ２０１〜ステップＳ２０３の処理は、図４のステップＳ１０１〜Ｓ１０３の処理と同様であるため、説明を省略する。
【００５７】
第２実施形態のエアマット制御装置２００は、ステップＳ２０２の処理において取得した利用者情報や、ステップＳ２０３の処理において取得された各種情報または算出された設定情報が適切であるか否か確認する（ステップＳ２０４）。具体的には、エアマット制御装置２００は、取得または算出された各種情報を、「ＯＫ」ボタン等と共に表示操作部２５０に表示して、利用者やスタッフ等のユーザーから確認操作を受け付ける。
【００５８】
確認の結果に問題がない場合（ステップＳ２０５：ＹＥＳ）、エアマット制御装置２００は、ステップＳ２０８の処理に進む。
【００５９】
確認の結果に問題がある場合（ステップＳ２０５：ＮＯ）、エアマット制御装置２００は、確認結果を表示すると共に、各種情報の修正の入力を受け付ける（ステップＳ２０６）。具体的には、エアマット制御装置２００は、表示操作部２５０に、修正情報を入力する画面を表示してユーザーから修正の入力を受け付ける。なお、確認の結果に問題がある場合とは、利用者情報が取得できない場合や、取得した利用者情報に関連付けられた各種情報がストレージ２４０に適切に登録されていない場合、または取得された利用者情報や算出された設定情報等が適切でないとユーザーが判断し、その旨の入力をエアマット制御装置２００が受け付けた場合等が含まれる。
【００６０】
たとえば、ストレージ２４０に予め登録された体重の情報が以前の古い情報であり、表示操作部２５０に表示された体重が、利用者の現在の体重と異なっている場合、ユーザーは表示操作部２５０に現在の利用者の体重を入力して体重情報を修正できる。また、表示操作部２５０に表示された利用者情報が、実際の利用者のものと異なり、他人の利用者情報が表示されていると判断された場合等においては、エアマット制御装置２００は、患者タグ等の付け間違い等の確認を促すメッセージを表示してもよい。
【００６１】
続いて、エアマット制御装置２００は、ステップＳ２０６の処理において受け付けた修正の内容を、ストレージ２４０に登録し（ステップＳ２０７）、ステップＳ２０８の処理に進む。ステップＳ２０８の処理は、図４のステップＳ１０４の処理と同様であるため、説明を省略する。ステップＳ２０８の処理が完了すると、エアマット制御装置２００は、設定処理を終了し、設定に基づいてエアマット１００の制御を継続して実行する。
【００６２】
以上のように、第２実施形態のエアマット制御装置２００によれば、取得した識別情報に関連付けられた情報がストレージ２４０から取得できない場合、または、ストレージ２４０から取得された情報が適切でないと判断された場合、身体情報、生体情報および設定情報のうちの少なくとも一つの情報の入力を受け付ける。これにより、エアマット制御装置２００は、適切に修正された利用者情報に基づいてエアマット１００の状態をより適切に制御することができる。
【００６３】
なお、エアマット制御装置２００は、ステップＳ２０４の確認処理において、利用者情報によって特定された利用者が実際の利用者と一致しているか否かを認証してもよい。たとえば、エアマット制御装置２００は、表示操作部２５０において、利用者の生年月日や予め設定したパスワード等の情報の入力を要求し、入力された情報とストレージ２４０に予め登録された情報とをマッチングして、利用者を認証してもよい。これにより、利用者を取り違えてシステムを設定した場合等に、誤った利用者情報に基づいてエアマット１００の状態を制御することを防止できる。
【００６４】
＜第３実施形態＞
次に、第３実施形態のエアマットシステムについて説明する。
【００６５】
第１および第２実施形態においては、エアマット制御装置２００の本体において外部媒体３００から利用者情報を取得するものとして説明したが、これに限定されない。たとえば、エアマット制御装置２００の本体とは別体として構成される外部端末において外部媒体３００から情報を取得してもよい。
【００６６】
図６は、第３実施形態に係るエアマット制御装置が適用されるエアマットシステムの概略構成図である。なお、第１および第２実施形態のエアマットシステムと同様の構成については、同じ参照番号を付し、その説明を省略する。
【００６７】
図６に示すように、エアマットシステムは、エアマット１００、エアマット制御装置２００、外部媒体３００および外部端末４００を有する。エアマット制御装置２００は、図１に示すエアマット制御装置２００と基本的に同様の構成を有し、取得部２６０の構成のみが異なる。外部端末４００は、エアマット制御装置２００と別体として設けられる情報端末であり、通信部２８０を介してエアマット制御装置２００と通信する。通信インターフェースとしては、有線または無線の各種規格が用いられ、たとえば、ＵＳＢ、ＲＳ２３２Ｃ、イーサネット（登録商標）、Ｗｉ−ＦｉまたはＢｌｕｅｔｏｏｔｈ（登録商標）等の規格が用いられる。
【００６８】
外部端末４００は、第１および第２実施形態においてエアマット制御装置２００に設けられるものとして説明したＲＦＩＤタグリーダー、バーコードリーダー、２次元バーコードを読み取り可能なカメラ、各種通信インターフェース等の入力装置を有する。外部端末４００は、外部媒体３００に設けられたＲＦＩＤタグ、バーコード、２次元バーコード等を認識したり、通信インターフェースを介してさらに他の装置と通信したりすることによって利用者情報を取得する。
【００６９】
第３実施形態のエアマット制御装置２００によって実行される処理の手順は、第１および第２実施形態と同様であり、エアマット制御装置２００は、図４のステップＳ１０１および図５のステップＳ２０１の処理において、取得部として、外部端末４００から利用者情報を取得する。
【００７０】
以上のように、第３実施形態においては、外部端末４００が外部媒体３００から利用者情報を取得し、エアマット制御装置２００は外部端末４００から利用者情報を取得する。これにより、エアマット制御装置２００の設置場所や外部媒体３００の位置等の影響を受けずに外部媒体３００から利用者情報を取得でき、システムの利便性が向上する。
【００７１】
＜第４実施形態＞
次に、第４実施形態のエアマットシステムについて説明する。
【００７２】
第１〜第３実施形態においては、エアマット制御装置２００のストレージ２４０に、利用者の識別情報、名称、身長、体重、状態、内圧設定、膨縮周期設定等の情報を記憶する例について説明したが、これに限定されない。たとえば、エアマット制御装置２００とネットワークを介して接続されるサーバー等の装置に上記の情報が記憶されてもよい。
【００７３】
図７は、第４実施形態に係るエアマット制御装置が適用されるエアマットシステムの概略構成図である。なお、第１〜第３実施形態のエアマットシステムと同様の構成については、同じ参照番号を付し、その説明を省略する。
【００７４】
図７に示すように、エアマットシステムは、エアマット１００、エアマット制御装置２００、外部媒体３１０およびサーバー５００を有する。エアマット制御装置２００は、図１に示すエアマット制御装置２００と基本的に同様の構成を有し、ストレージ２４０の構成のみが異なる。外部媒体３１０は、利用者に装着されたスマートウォッチ等のウェアラブルデバイスである。エアマット制御装置２００は、たとえば外部媒体３１０に搭載されたＲＦＩＤタグまたは外部媒体３１０の表示部に表示されたバーコードや２次元バーコードから利用者情報を取得してもよく、あるいは外部媒体３１０と有線または無線で通信して利用者情報を取得してもよい。サーバー５００は、たとえば病院内において患者の情報を管理するサーバーであり、有線または無線のネットワークを介してエアマット制御装置２００から接続可能である。
【００７５】
サーバー５００は、第１〜第３実施形態においてエアマット制御装置２００のストレージ２４０に記憶されるものとして説明した利用者の識別情報、名称、身長、体重、状態、内圧設定、膨縮周期設定等の情報を内部の記憶部に記憶する。
【００７６】
第４実施形態のエアマット制御装置２００によって実行される処理の手順は、第１〜第３実施形態と基本的に同様である。エアマット制御装置２００は、図４のステップＳ１０３および図５のステップＳ２０３の処理において、参照部として、識別情報を用いて当該識別情報に関連付けられた各種情報をサーバー５００から取得する。エアマット制御装置２００は、サーバー５００から取得された情報に基づいてエアマット１００の状態を制御する。
【００７７】
このように、エアマット制御装置２００が、識別情報を用いてサーバー５００の記憶部を参照し、当該識別情報に関連付けられた情報をサーバー５００から取得する。これにより、たとえばサーバー５００として病院内のサーバーを接続した場合、患者の情報を管理するための既存の電子カルテ情報を、エアマット１００の状態を制御するための上記情報として利用でき、既存の機器や情報資産を有効活用することができる。
【００７８】
＜第５実施形態＞
次に、第５実施形態のエアマットシステムについて説明する。
【００７９】
第１〜第４実施形態においては、利用者情報として個々の利用者ごとの身体情報、生体情報、識別情報、設定情報等を取得することによって、エアマット１００の状態を制御する例について説明した。しかし、個々の利用者ごとの情報ではなく、利用者を身体情報や生体情報、エアマット１００の設定が同様となるグループに分類し、グループごとにエアマット１００の状態を制御してもよい。
【００８０】
図８は、第５実施形態のエアマット制御装置のストレージに記憶される情報の一例を示す図である。なお、第５実施形態のエアマットシステムの構成は第１〜第４実施形態と同様であるため、その説明を省略する。
【００８１】
図８に示すように、エアマット制御装置２００のストレージ２４０には、たとえば、グループＩＤ、エアマット１００の内圧設定および膨縮周期設定、モード設定等の情報が相互に関連付けられて記憶されている。モード設定は、利用者の状態に応じて通常モード、拘縮モード、安静モード等の動作モードを設定するための項目である。
【００８２】
グループＩＤは、エアマット１００の設定が同様となる複数の利用者を、複数のグループに分類するための識別子であり、複数の利用者に共通して設定される。グループＩＤは、たとえば、利用者個人を識別するための識別情報よりも少ない桁数の値を設定することができる。
【００８３】
外部媒体３００または外部媒体３１０（以下、あわせて「外部媒体３００」と称する。）には、当該外部媒体を有する利用者が分類されるグループのグループＩＤが設定される。たとえば、外部媒体３００として、既存の患者管理システムにおいて患者タグとして使用されているＲＦＩＤタグを利用する場合、利用者個人の識別情報等が記憶されている領域とは別の空き領域にグループＩＤを設定することができる。
【００８４】
エアマット制御装置２００は、外部媒体３００から利用者情報としてグループＩＤを取得し、取得したグループＩＤに関連付けられた内圧設定および膨縮設定の情報をストレージ２４０から取得する。エアマット制御装置２００は、ストレージ２４０から取得した内圧設定および膨縮設定に基づいてエアマット１００を制御する。
【００８５】
このように、グループＩＤを設定して、グループごとにエアマット１００の状態を制御することにより、たとえば、既存の患者管理システム等において使用されている患者タグを本システムに流用する場合等、個々の利用者の識別情報のフォーマットにバラツキがあり、利用者の識別が困難である場合でも、エアマット１００の状態を適切に制御できる。また、グループＩＤとして、利用者個人の識別情報よりも少ない桁数の値を設定できるため、ストレージ２４０に記憶される情報の量を少なく抑えることができ、メモリー資源を節約することができる。
【００８６】
なお、上記の実施形態においては、ストレージ２４０においてグループＩＤにエアマット１００の設定情報が関連付けられて記憶される例について説明したが、これに限定されない。グループＩＤに身体情報や生体情報が関連付けられ、各情報に基づいてエアマット１００の状態が制御されてもよい。
【００８７】
また、上記の各実施形態においては、空気供給部２７０がエアマット制御装置２００の一部として一体的に設けられる例について説明したが、エアマットシステムのハードウェア構成はこれに限定されない。たとえば、エアマット制御装置２００と空気供給装置とが別体として設けられて相互に無線接続されるような形態であってもよい。すなわち、第３実施形態において説明した図６の外部端末４００をエアマット制御装置２００として使用し、別体の装置として設けられる空気供給部２７０と通信してエアマット１００の状態を制御してもよい。
【００８８】
また、上記の各実施形態は、それぞれ独立した実施形態として説明したが、各実施形態が相互に組み合わせられて実施されてもよい。たとえば、第３〜第５実施形態を組み合わせて、外部端末４００が外部媒体３００からグループＩＤを取得し、サーバー５００からグループＩＤに関連付けられた設定情報を取得してエアマット１００の状態を制御するような形態であってもよい。
【００８９】
また、上述したフローチャートの各処理単位は、エアマット制御装置２００の処理に関する理解を容易にするために、主な処理内容に応じて分割したものである。処理ステップの分類の仕方やその名称によって、本願発明が制限されることはない。エアマット制御装置２００が実行する処理は、さらに多くの処理ステップに分割することもできる。また、１つの処理ステップが、さらに多くの処理を実行してもよい。
【００９０】
上述した実施形態に係るエアマットシステムにおける各種処理を行う手段および方法は、専用のハードウェア回路、またはプログラムされたコンピューターのいずれによっても実現することが可能である。上記プログラムは、たとえば、フレキシブルディスクおよびＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、エアマットシステムの一機能としてその装置のソフトウェアに組み込まれてもよい。
【符号の説明】
【００９１】
１００  エアマット、
１１０  ベッドマットレス、
１２０  エアセル、
Ｔ１  接続チューブ、
２００  エアマット制御装置、
２１０  ＣＰＵ、
２２０  ＲＯＭ、
２３０  ＲＡＭ、
２４０  ストレージ、
２５０  表示操作部、
２６０  取得部、
２７０  空気供給部、
２８０  通信部、
２９０  バス、
３００、３１０  外部媒体、
４００  外部端末、
５００  サーバー。
【図１】
2019025250.tif 000003
【図２】
2019025250.tif 000004
【図３】
2019025250.tif 000005
【図４】
2019025250.tif 000006
【図５】
2019025250.tif 000007
【図６】
2019025250.tif 000008
【図７】
2019025250.tif 000009
【図８】
2019025250.tif 000010